(57)【要約】【課題】  通常動作状態からパワーセーブ状態への移行時において、回路の誤動作が生じないようにした液晶表示装置及び液晶表示装置の駆動制御方法を提供すること。【解決手段】  通常動作状態時では、極性反転制御信号ＦＲＰに基づいてコモン信号電圧ＶＣＯＭが反転駆動され、通常の画像表示が行われる。タイミングｔ３からパワーセーブ状態に移行させる場合、各信号ラインＬｄに特定のロウレベルの信号電圧を印加し、コモン信号電圧ＶＣＯＭをロウレベルに設定して残像消去処理が行われ、極性反転制御信号ＦＲＰをロウレベルに切り替えてコモン信号電圧ＶＣＯＭをハイレベルに設定し、その後、信号ＰｏｗｅｒＳＡＶＥがロウレベルに設定されてパワーセーブ状態に設定される。このとき、ＣＯＭＤＣ端子はＧＮＤに接続されコモン信号電圧ＶＣＯＭがハイレベルに設定されているため、ＣＯＭＤＣ電圧はハイレベル電圧からロウレベル電圧に徐々に低下する。【選択図】  図１
2006098715.tif 000002
【特許請求の範囲】
【請求項１】
複数の走査ライン及び複数の信号ラインの各交点近傍にマトリクス状に配列されて画素電極を有する複数の表示画素と、各画素電極の対向位置に配設される共通電極とを有する表示パネルと、所定周期で極性反転するコモン信号を生成して前記共通電極に出力するコモン信号出力手段と、を備える液晶表示装置において、
前記液晶表示装置を通常動作状態からパワーセーブ状態に移行させる、パワーセーブ状態設定手段を備え、
前記パワーセーブ状態設定手段は、前記コモン信号出力手段により前記コモン信号を所定のハイレベルに設定した後に、前記パワーセーブ状態に設定することを特徴とする液晶表示装置。
【請求項２】
前記コモン信号出力手段は、前記コモン信号の中心電圧を設定する電圧を出力する中心電圧出力端子を有し、
前記パワーセーブ状態設定手段は、前記液晶表示装置を前記パワーセーブ状態に設定する際に、前記中心電圧出力端子を接地する手段を備えることを特徴とする請求項１に記載の液晶表示装置。
【請求項３】
前記パワーセーブ状態設定手段は、更に、前記コモン信号をハイレベルに設定する前に、前記表示パネルを非表示状態とし、前記表示画素の残留電圧による残像を消去する、残像消去処理手段を備えることを特徴とする請求項１に記載の液晶表示装置。
【請求項４】
前記残像消去処理手段は、少なくとも、前記信号ライン及び前記共通電極に、各々特定のロウレベルの信号電圧を印加する手段を備えることを特徴とする請求項３記載の液晶表示装置。
【請求項５】
前記液晶表示装置は、前記コモン信号の極性を制御する極性反転制御信号を生成する極性反転制御信号生成手段を備え、
前記パワーセーブ状態設定手段は、前記パワーセーブ状態に設定する前に、前記極性反転制御信号生成手段により、前記コモン信号が所定のハイレベルとなるように前記極性反転制御信号を制御する手段を備えることを特徴とする請求項１に記載の液晶表示装置。
【請求項６】
複数の走査ライン及び複数の信号ラインの各交点近傍にマトリクス状に配列されて画素電極を有する複数の表示画素と、各画素電極の対向位置に配設される共通電極とを有する表示パネルと、所定周期で極性反転するコモン信号を生成して前記共通電極に出力するコモン信号出力手段と、を備える液晶表示装置の駆動制御方法であって、
前記液晶表示装置を通常動作状態からパワーセーブ状態に移行させるステップは、
前記コモン信号を所定のハイレベルに設定するステップと、
前記コモン信号がハイレベルとされた後に、パワーセーブ状態に設定するステップと、
を含むことを特徴とする液晶表示装置の駆動制御方法。
【請求項７】
前記コモン信号出力手段は、前記コモン信号の中心電圧を設定する電圧を出力する中心電圧出力端子を有し、
前記パワーセーブ状態に設定するステップは、前記中心電圧出力端子を接地するステップを含むことを特徴とする請求項６に記載の液晶表示装置の駆動制御方法。
【請求項８】
前記パワーセーブ状態に移行させるステップは、更に、前記表示パネルを非表示状態とし、前記表示画素の残留電圧による残像を消去するステップを含み、
該残像を消去するステップが終了した後、前記コモン信号を所定のハイレベルに設定するステップを行うことを特徴とする請求項６に記載の液晶表示装置の駆動制御方法。
【請求項９】
前記液晶表示装置は、前記コモン信号の極性を制御する極性反転制御信号を生成する極性反転制御信号生成手段を備え、
前記コモン信号を所定のハイレベルに設定するステップは、前記極性反転制御信号生成手段により、前記コモン信号が所定のハイレベルとなるように前記極性反転制御信号を設定するステップを含むことを特徴とする請求項６に記載の液晶表示装置の駆動制御方法。
【発明の詳細な説明】
【技術分野】
【０００１】
本発明はアクティブマトリクス型ＬＣＤ（Liquid Crystal Display）を用いた液晶表示装置、及び当該液晶表示装置を駆動するための駆動制御方法に関する。
【背景技術】
【０００２】
液晶を駆動させて画像表示する液晶表示装置が知られている。このような液晶表示装置には、液晶表示パネル上に複数の走査線と複数の信号線とをそれぞれ直交に配置し、各交点近傍に液晶画素を配置するアクティブマトリクス方式のものがある。このアクティブマトリクス型液晶表示装置においては、スイッチング素子（例えばＴＦＴ（Thin Film Transistor：薄膜トランジスタ））を介して信号線に接続される画素電極と、当該画素電極に対向して配置される共通電極との間に液晶が充填され、２つの電極間にて電場が形成されることにより液晶が駆動される。
【０００３】
以下、液晶表示装置について簡単に説明する。図２は、液晶表示装置９の構成の一例を示すブロック図であり、図３は液晶表示パネルの回路構成の一例を示す図である。液晶表示装置９は、液晶表示パネル１０と、信号ドライバ２０と、走査ドライバ３０と、ＲＧＢデコーダ４０と、反転アンプ５０と、ＬＣＤコントローラ９０と、ＶＣＯＭ発生回路７０と、電圧発生回路８０とを備えて構成される。
【０００４】
図３において、液晶表示パネル１０は、列方向に配設された複数の信号ラインＬｄ及び行方向に配設された複数の走査ラインＬｇと、信号ラインＬｄと走査ラインＬｇの各交点近傍に配置された複数の画素電極と、各画素電極に対向して配置された共通電極と、画素電極と共通電極の間に充填、保持された液晶からなる液晶容量Ｃｌｃと、該液晶容量Ｃｌｃに並列に接続され、他端が補助容量配線Ｌｃを介して所定電圧Ｖｃｓに接続され、液晶容量Ｃｌｃに印加された信号電圧を保持するための補助容量Ｃｓと、走査ラインＬｇにゲート端子が接続され、上記画素電極にソース端子が接続され、信号ラインＬｄにドレイン端子が接続されたＴＦＴと、補助容量配線Ｌｃと各信号ラインＬｄとの間に接続された静電気保護抵抗Ｒｃｓと、を備える。なお、静電気保護抵抗Ｒｃｓはダイオードやトランジスタによる静電気保護回路の等価的抵抗成分を表わしたものである。
【０００５】
信号ドライバ２０には、信号ラインＬｄが接続され、後述するＬＣＤコントローラ９０から出力される水平制御信号（アウトプットイネーブル信号ＯＥ等）に基づいて、ＲＧＢデコーダ４０から供給されるＲ（赤）、Ｇ（緑）、Ｂ（青）の各色の輝度信号を１行単位で記憶し、該輝度信号に対応する表示信号電圧を各信号ラインＬｄに順次供給する。
【０００６】
走査ドライバ３０には、走査ラインＬｇが接続され、ＬＣＤコントローラ９０から出力される垂直制御信号（ゲートラインアウトプットイネーブル信号ＧＯＥ、ゲートクロック信号ＧＰＣＫ、ゲートスタート信号ＧＳＲＴ等）に基づいて、各走査ラインＬｇに走査信号を順次印加して選択状態とし、信号ラインＬｄと交差する位置の表示画素（画素電極）に、信号ドライバ２０から信号ラインＬｄを介して供給された輝度信号に対応する表示信号電圧を印加する。
【０００７】
ＲＧＢデコーダ４０は、例えば、液晶表示装置９の外部から供給される映像信号（コンポジットビデオ信号）から水平同期信号Ｈ、垂直同期信号Ｖ及びコンポジット同期信号ＣＳＹを抽出して、ＬＣＤコントローラ９０に供給すると共に、映像信号に含まれるＲ、Ｇ、Ｂの各色信号（ＲＧＢ信号）を抽出し、反転アンプ５０に出力する。
【０００８】
反転アンプ５０は、ＬＣＤコントローラ９０から供給される極性反転制御信号ＦＲＰに応じてＲＧＢ信号を反転処理して、ＲＧＢ反転信号を生成して上記輝度信号として信号ドライバ２０に出力する。
【０００９】
ＬＣＤコントローラ９０は、ＲＧＢデコーダ４０から供給される水平同期信号Ｈ、垂直同期信号Ｖ及びコンポジット同期信号ＣＳＹに基づいて、極性反転制御信号ＦＲＰ等を生成して、反転アンプ５０及びＶＣＯＭ発生回路７０に出力すると共に、アウトプットイネーブル信号ＯＥ等を含む水平制御信号の他、ゲートラインアウトプットイネーブル信号ＧＯＥ、ゲートクロック信号ＧＰＣＫ及びゲートスタート信号ＧＳＲＴ等を含む垂直制御信号とを生成して、各々信号ドライバ２０及び走査ドライバ３０に出力することにより、所定のタイミングで各表示画素に輝度信号に対応する表示信号電圧を印加して、液晶表示パネル１０に映像信号に基づく所定の画像情報を表示させる制御を行う。
【００１０】
更にＬＣＤコントローラ９０は、液晶表示装置９のパワーセーブ状態（スタンバイ状態）に設定するための信号ＰｏｗｅｒＳＡＶＥを生成し、ＶＣＯＭ発生回路７０に出力する。
【００１１】
ＶＣＯＭ発生回路７０（コモン信号出力手段）は、各表示画素に共通に設けられた共通電極に印加されるコモン信号電圧ＶＣＯＭを生成して出力し、ＬＣＤコントローラ９０から出力される極性反転制御信号ＦＲＰに基づいて、各表示画素の画素電極に印加される表示信号電圧に対して、コモン信号電圧ＶＣＯＭの極性を反転するように駆動制御する。
【００１２】
電圧発生回路８０は、液晶表示装置９を備える装置の電源投入に応答して、液晶表示装置９を構成する各回路に必要な電圧を生成して供給する。例えば、各回路に共通に供給する内部ロジック回路電源電圧ＶＣＣ、信号ドライバ２０や走査ドライバ３０の駆動に必要な高電圧ＶＧＨ，ＶＳＨや低電圧ＶＧＬ、ＶＣＯＭ発生回路７０に供給される、コモン信号電圧ＶＣＯＭのハイレベルとロウレベルを設定する電圧ＶＣＨ、ＶＣＬ等を生成して出力する。ここで、通常、コモン信号電圧ＶＣＯＭのハイレベルに対応する電圧ＶＣＨは正電圧、ロウレベルに対応する電圧ＶＣＬは負電圧に設定される。
【００１３】
このような構成を有する液晶表示装置９において、各行（走査ラインＬｇ）に走査信号を順次印加して選択状態として、信号ラインＬｄに供給された表示信号電圧をＴＦＴを介して各画素電極に印加することにより、輝度信号に対応した表示信号電圧と共通電極に印加されたコモン信号電圧ＶＣＯＭとの電位差が各表示画素の液晶容量Ｃｌｃに充電されて、該電位差に応じて各表示画素における液晶分子の配向状態が制御される。これにより、所望の画像情報が液晶表示パネル１０に表示される。
【００１４】
ところで、上述したような液晶表示装置９において、待機状態等になったときに、通常動作状態から非表示状態とし必要最小限の部分のみを動作させて消費電力を低減させたパワーセーブ状態に切り替える機能を備えるものがある。このパワーセーブ状態では、例えば、信号ラインＬｄがハイインピーダンスとされ、走査ドライバ３０から走査ラインＬｇに印加される走査信号が非アクティブ状態とされる。そのため、各表示画素の液晶容量Ｃｌｃは、通常動作終了時の電位を保持した状態となる。この表示画素に保持された電位（残留電圧）は、周辺配線（走査ラインＬｇ、信号ラインＬｄ、補助容量配線Ｌｃ等）やＴＦＴ等を介して発生するリーク電流により、時間経過と共に徐々に放電されて、最終的に共通電極（コモン信号電圧ＶＣＯＭ）と同電位となる。
【００１５】
ここで、残留電圧がリーク電流によりコモン信号電圧ＶＣＯＭと同電位となるまでには、数秒程度の比較的長い時間を要するため、表示画像（残像）が徐々に消えていく過程がユーザの目に認識されることになる。このような表示の変化は、ユーザに対して見苦しさを感じさせる原因の一つとなっていた。また、通常動作状態からパワーセーブ状態に移行する度に、各表示画素の液晶分子に残留電圧に基づく直流電圧成分が印加されることになるため、液晶の劣化を招きやすいという問題も有していた。
【００１６】
このような残留電圧の問題を解決する手段として、例えば、特許文献１に記載されているような技術が知られている。すなわち、特許文献１においては、液晶表示装置の装置電源が遮断されてから、実際に電源から供給される駆動電力が遮断されるまでの所定の期間において、各信号ラインに特定のロウレベルの信号電圧を印加し、共通電極に印加されるコモン信号電圧ＶＣＯＭも特定のロウレベル電圧ＶＣＬに設定する。そして、各走査ラインＬｇの走査が継続して行われることにより各表示画素に白表示データ（０Ｖ又は低電圧）が書き込まれて、残留電圧による残像を消す残像消去処理が行われるようにしている。
【特許文献１】特開２００３−２９５８４０号公報
【発明の開示】
【発明が解決しようとする課題】
【００１７】
しかしながら、特許文献１に記載されている残像消去処理の方法では、以下のような問題があった。図４はＶＣＯＭ発生回路７０の回路構成の一例を示した図であり、図５は液晶表示装置９の主な信号波形の一例を示した図である。ＶＣＯＭ発生回路７０は、レベルシフタ７１と、インバータ７２と、オペアンプ７３と、スイッチ７４とを備えて構成される。ＬＣＤコントローラ９０から出力された極性反転制御信号ＦＲＰは、レベルシフタ７１に入力される。極性反転制御信号ＦＲＰは、レベルシフタ７１によって電圧変換が施され、電圧変換された信号がインバータ７２に入力される。インバータ７２から出力された信号は、出力端子７６からコンデンサＣ１を介してコモン信号電圧ＶＣＯＭの交流成分として出力される。また、オペアンプ７３の出力電圧がコモン信号電圧ＶＣＯＭの中心レベル（ＤＣレベル）を設定するＣＯＭＤＣ電圧として出力端子７５（中心電圧出力端子）から出力され、抵抗Ｒ３を介してコモン信号電圧ＶＣＯＭに印加されて、コモン信号電圧ＶＣＯＭの信号波形が生成される。スイッチ７４は、ＣＯＭＤＣ電圧をＧＮＤレベルに設定するためのスイッチであって、パワーセーブ状態に設定されるときにオン状態にされる。
【００１８】
図５の信号波形について説明する。タイミングｔ９１にて液晶表示装置９の電源が投入されると、まずパワーセーブ状態（期間Ｔ９１）となり、機器の初期設定が行われる。次いで、初期設定が終了して、タイミングｔ９２にてパワーセーブが解除されると、パワーオンクリア処理が行われ、また、コモン信号電圧ＶＣＯＭが極性反転制御信号ＦＲＰに応じて所定の周期で反転駆動される（期間Ｔ９２）。その後、垂直制御信号（信号ＧＯＥ、信号ＰＣＫ、信号ＧＳＲＴ等）や信号ＯＥが適宜印加されて、画像表示が行われる（通常動作状態；期間Ｔ９３）。その後、待機状態等になって、タイミングｔ９３からパワーセーブ状態に移行させる場合、まず次の垂直同期信号Ｖの立ち上がり（又は立ち下がり）タイミングから残像消去処理が行われる（期間Ｔ９４）。そして残像消去処理終了後のタイミングｔ９４にて、パワーセーブ状態に設定される（期間Ｔ９５）。残像消去処理期間においては、上記で説明したように、各信号ラインＬｄに特定のロウレベルの信号電圧を印加し、共通電極に印加されるコモン信号電圧ＶＣＯＭも特定のロウレベル電圧ＶＣＬに設定する。
【００１９】
ここで、残像消去処理終了後、パワーセーブ状態（期間Ｔ９５）に設定するとき、タイミングｔ９４にて信号ＰｏｗｅｒＳＡＶＥがＬｏレベルに設定され、スイッチ７４がオン状態となりＣＯＭＤＣ端子７５がＧＮＤに接続される。このとき、コモン信号電圧ＶＣＯＭはロウレベル電圧ＶＣＬであり、このロウレベル電圧ＶＣＬはＧＮＤレベルより低い負電圧であるため、図５中の丸９９で示すように、ＣＯＭＤＣ電圧が一時的にＧＮＤレベル以下に下がる。するとＶＣＯＭ発生回路７０の基板電位（ＧＮＤ）とＣＯＭＤＣ端子７５が順バイアスとなって、基板をベースとする寄生ＮＰＮ（ＰＮＰ）トランジスタが一時的にオン状態となって動作してしまう。これにより、パワーセーブ時でも動作しているシステムリセット回路（不図示）等から寄生ＮＰＮ（ＰＮＰ）トランジスタを介して電流が流れ、回路の誤動作を引き起こす原因となっていた。
【００２０】
本発明は以上の点を考慮してなされたものであり、その目的とするところは、残像消去処理からパワーセーブ状態への移行時における回路の誤動作をなくした液晶表示装置及び液晶表示装置の駆動制御方法を提供することである。
【課題を解決するための手段】
【００２１】
以上の課題を解決するために、請求項１に記載の発明の液晶表示装置は、複数の走査ライン及び複数の信号ラインの各交点近傍にマトリクス状に配列されて画素電極を有する複数の表示画素と、各画素電極の対向位置に配設される共通電極とを有する表示パネルと、所定周期で極性反転するコモン信号を生成して前記共通電極に出力するコモン信号出力手段と、を備える液晶表示装置において、前記液晶表示装置を通常動作状態からパワーセーブ状態に移行させる、パワーセーブ状態設定手段を備え、前記パワーセーブ状態設定手段は、前記コモン信号出力手段により前記コモン信号を所定のハイレベルに設定した後に、前記パワーセーブ状態に設定することを特徴とする。
【００２２】
請求項２に記載の発明は、請求項１に記載の液晶表示装置において、前記コモン信号出力手段は、前記コモン信号の中心電圧を設定する電圧を出力する中心電圧出力端子を有し、前記パワーセーブ状態設定手段は、前記液晶表示装置を前記パワーセーブ状態に設定する際に、前記中心電圧出力端子を接地する手段を備えることを特徴とする。
【００２３】
請求項３に記載の発明は、請求項１に記載の液晶表示装置において、前記パワーセーブ状態設定手段は、更に、前記コモン信号をハイレベルに設定する前に、前記表示パネルを非表示状態とし、前記表示画素の残留電圧による残像を消去する、残像消去処理手段を備えることを特徴とする。
【００２４】
請求項４に記載の発明は、請求項３記載の液晶表示装置において、前記残像消去処理手段は、少なくとも、前記信号ライン及び前記共通電極に、各々特定のロウレベルの信号電圧を印加する手段を備えることを特徴とする。
【００２５】
請求項５に記載の発明は、請求項１に記載の液晶表示装置において、前記液晶表示装置は、前記コモン信号の極性を制御する極性反転制御信号を生成する極性反転制御信号生成手段を備え、前記パワーセーブ状態設定手段は、前記パワーセーブ状態に設定する前に、前記極性反転制御信号生成手段により、前記コモン信号が所定のハイレベルとなるように前記極性反転制御信号を制御する手段を備えることを特徴とする。
【００２６】
請求項５に記載の発明は、複数の走査ライン及び複数の信号ラインの各交点近傍にマトリクス状に配列されて画素電極を有する複数の表示画素と、各画素電極の対向位置に配設される共通電極とを有する表示パネルと、所定周期で極性反転するコモン信号を生成して前記共通電極に出力するコモン信号出力手段と、を備える液晶表示装置の駆動制御方法であって、前記液晶表示装置を通常動作状態からパワーセーブ状態に移行させるステップは、前記コモン信号を所定のハイレベルに設定するステップと、前記コモン信号がハイレベルとされた後に、パワーセーブ状態に設定するステップと、を含むことを特徴とする。
【００２７】
請求項７に記載の発明は、請求項６に記載の液晶表示装置の駆動制御方法において、前記コモン信号出力手段は、前記コモン信号の中心電圧を設定する電圧を出力する中心電圧出力端子を有し、前記パワーセーブ状態に設定するステップは、前記中心電圧出力端子を接地するステップを含むことを特徴とする。
【００２８】
請求項８に記載の発明は、請求項６に記載の液晶表示装置の駆動制御方法において、前記パワーセーブ状態に移行させるステップは、更に、前記表示パネルを非表示状態とし、前記表示画素の残留電圧による残像を消去するステップを含み、該残像を消去するステップが終了した後、前記コモン信号を所定のハイレベルに設定するステップを行うことを特徴とする。
【００２９】
請求項９に記載の発明は、請求項６に記載の液晶表示装置の駆動制御方法において、前記液晶表示装置は、前記コモン信号の極性を制御する極性反転制御信号を生成する極性反転制御信号生成手段を備え、前記コモン信号を所定のハイレベルに設定するステップは、前記極性反転制御信号生成手段により、前記コモン信号が所定のハイレベルとなるように前記極性反転制御信号を設定するステップを含むことを特徴とする。
【発明の効果】
【００３０】
本発明によれば、例えば残像消去処理が終了した後、コモン信号をハイレベルに設定した後にパワーセーブ状態へ移行するように制御することによって、パワーセーブ状態への移行時に、コモン信号の中心電圧がＧＮＤレベル以下の負電圧に下がって、基板をベースとする寄生トランジスタが動作して、回路の誤動作が発生することをなくすことができる。更に、本発明における構成は、極性反転制御信号やコモン信号等のハイレベル／ロウレベルの切り替えタイミングの制御の追加のみによって構成することができるため、特別な回路や部品等を追加することなく実現することができる。
【発明を実施するための最良の形態】
【００３１】
以下、本発明の実施の形態を図示例と共に説明する。本実施の形態は、液晶表示装置をパワーセーブ状態に設定する前にＦＲＰ極性反転期間を設け、当該期間において極性反転制御信号ＦＲＰによってコモン信号電圧ＶＣＯＭのハイレベル／ロウレベルを制御することによって、液晶表示装置の回路誤動作を防ぐものである。ここで、本実施の形態に係る液晶表示装置の構成として、例えば、背景技術において説明した残像消去処理と同様の処理を行う残像消去処理手段及びコモン信号出力手段を備える構成を適用することができ、以下における本実施の形態における液晶表示装置は、前述の図２〜図４と同様の構成を備えるものとするが、本発明における液晶表示装置はこれに限るものではなく、要するにパワーセーブ状態に設定する際にＣＯＭＤＣ端子がＧＮＤに接続される構成を備えるものであれば同様に適用することができるものである。なお、図２において、本実施の形態の液晶表示装置は液晶表示装置１、ＬＣＤコントローラはＬＣＤコントローラ６０として以下説明する。
【００３２】
図１は、本発明の液晶表示装置の主な信号波形の一例を示した図である。タイミングｔ１にて液晶表示装置１の電源が投入されると、液晶表示装置１は、まずパワーセーブ状態（期間Ｔ１）となり、機器の初期設定が行われる。このとき、信号ＰｏｗｅｒＳＡＶＥ、垂直制御信号（信号ＧＯＥ、信号ＰＣＫ、信号ＧＳＲＴ等）、信号ＯＥ、極性反転制御信号ＦＲＰ、コモン信号電圧ＶＣＯＭ、ＣＯＭＤＣ電圧は全てロウレベルに設定される。
【００３３】
次いで、初期設定が終了して、タイミングｔ２にて、信号ＰｏｗｅｒＳＡＶＥがハイレベルになり、パワーセーブ状態が解除されると、パワーオンクリア処理が行われる（期間Ｔ２）。この期間では、信号ＰｏｗｅｒＳＡＶＥがハイレベルになってＶＣＯＭ発生回路７０（コモン信号出力手段）のスイッチ７４がオフ状態となり、ＣＯＭＤＣ電圧は通常動作時のハイレベル電圧（オペアンプ７３の出力電圧）に設定される。また極性反転制御信号ＦＲＰは、例えば水平走査期間に応じた所定の周期で極性反転され、この極性反転制御信号ＦＲＰに基づいてコモン信号電圧ＶＣＯＭが反転駆動される。
【００３４】
次いで、垂直制御信号（信号ＧＯＥ、信号ＰＣＫ、信号ＧＳＲＴ等）や信号ＯＥが適宜印加されて、通常の画像表示が行われる（通常動作状態；期間Ｔ３）。その後、待機状態等になったとき、パワーセーブ状態に設定するための制御動作（パワーセーブ状態設定手段）が行われる。タイミングｔ３からパワーセーブ状態に移行させる場合、まず、残像消去処理手段により、次の垂直同期信号Ｖの立ち上がり（又は立ち下がり）を受けて信号ＯＥがロウレベルとなり、その後極性反転制御信号ＦＲＰがハイレベルとなる。これにより、各信号ラインＬdに特定のロウレベルの信号電圧を印加し、インバータ７２から出力され、共通電極に印加されるコモン信号電圧ＶＣＯＭがロウレベル電圧ＶＣＬに設定される。また、垂直制御信号を継続して印加して各走査ラインＬｇの走査が行われ、各表示画素に白表示データ（０Ｖ又は低電圧）が書き込まれることにより、残留電圧による残像を消す残像消去処理が行われる（期間Ｔ４）。また、この間、信号ＰｏｗｅｒＳＡＶＥはハイレベルであるためスイッチ７４はオフ状態であり、ＣＯＭＤＣ電圧は通常動作時のハイレベル電圧（オペアンプ７３の出力電圧）に維持される。
【００３５】
次いで、残像消去処理が終了すると、ＦＲＰ極性反転期間となる（期間Ｔ５）。このＦＲＰ極性反転期間においては、ＬＣＤコントローラ６０は極性反転制御信号ＦＲＰをハイレベルからロウレベルに切り替える。これによって、インバータ７２から出力されるコモン信号電圧ＶＣＯＭがハイレベル電圧ＶＣＨに設定される。この間、信号ＰｏｗｅｒＳＡＶＥはハイレベルのままであるためスイッチ７４はオフ状態であって、ＣＯＭＤＣ電圧は通常動作時のハイレベル電圧（オペアンプ７３の出力電圧）に維持される。
【００３６】
ＦＲＰ極性反転期間が終了した後、タイミングｔ４にて信号ＰｏｗｅｒＳＡＶＥがロウレベルに設定されてパワーセーブ状態となる（期間Ｔ６）。ここで、信号ＰｏｗｅｒＳＡＶＥがロウレベルに設定されると、スイッチ７４がオン状態となり、ＣＯＭＤＣ端子７５（中心電圧出力端子）がＧＮＤに接続される。このとき、コモン信号電圧ＶＣＯＭはハイレベル電圧ＶＣＨであり、このハイレベル電圧ＶＣＨはＧＮＤレベルより高い正電圧であるため、図１中の丸１００で示すように、ＣＯＭＤＣ電圧はハイレベル電圧からロウレベル電圧（ＧＮＤレベル）に徐々に低下するようになり、ＣＯＭＤＣ端子７５がＧＮＤレベル以下の負電圧に下がることはない。
【００３７】
このように、残像消去処理が終了した後、コモン信号電圧ＶＣＯＭをハイレベルにするように極性反転制御信号ＦＲＰを制御するＦＲＰ極性反転期間を設け、その後にパワーセーブ状態に設定することにより、ＣＯＭＤＣ端子７５の電圧レベルがＧＮＤレベル以下の負電圧に下がる現象の発生をなくすことができる。これにより、パワーセーブ状態への移行時に、ＣＯＭＤＣ端子７５の電圧レベルがＧＮＤレベル以下の負電圧に下がって、基板をベースとする寄生ＮＰＮ（ＰＮＰ）トランジスタが動作して回路の誤動作が発生することをなくすことができる。
なお、上記実施形態では、残像消去処理が終了した後に、ＦＲＰ極性反転期間を設け、その後にパワーセーブ状態に設定する構成としたが、これに限るものではなく、残像消去処理を行わないものであってもよく、要するにパワーセーブ状態に設定する際にＣＯＭＤＣ端子がＧＮＤに接続される構成を備えるものであってもよい。
【００３８】
更に、本実施形態は、極性反転制御信号ＦＲＰ、コモン信号電圧ＶＣＯＭ、信号ＰｏｗｅｒＳＡＶＥ等のハイレベル／ロウレベルの切り替えタイミングの制御の追加のみによって構成することができるため、特別な回路や部品等を追加することなく実現することができる。
【図面の簡単な説明】
【００３９】
【図１】本発明の液晶表示装置の主な信号波形の一例を示した図。
【図２】液晶表示装置の構成の一例を示すブロック図。
【図３】液晶表示パネルの回路構成の一例を示した図。
【図４】ＶＣＯＭ発生回路の回路構成の一例を示した図。
【図５】従来の液晶表示装置の主な信号波形の一例を示した図。
【符号の説明】
【００４０】
１、９      液晶表示装置
１０        液晶表示パネル
２０        信号ドライバ
３０        走査ドライバ
４０        ＲＧＢデコーダ
５０        反転アンプ
６０、９０  ＬＣＤコントローラ
７０        ＶＣＯＭ発生回路
８０        電圧発生回路
【図１】
2006098715.tif 000003
【図２】
2006098715.tif 000004
【図３】
2006098715.tif 000005
【図４】
2006098715.tif 000006
【図５】
2006098715.tif 000007